(57)【要約】【課題】  撮像装置においてプリセット機能と通常のズーム速度も速度可変で所定の速度でのズーミングも可能な撮影装置を提供することが望ましいが、同時に搭載するにはその設定に煩雑な操作を伴う為、操作性が十分でなかった。【解決手段】  移動レンズの移動速度を該第一か該第二の速度設定手段の出力かを選択する選択手段を有し、該第一の速度選択手段は操作に伴い速度の設定とともに駆動方向命令操作を兼ね、操作がないときは駆動命令を出力しない命令手段を兼ねる速度設定手段で、該制御手段は第二の速度設定手段の設定速度を該プリセット機能実行時の移動レンズ群の速度とすること撮像装置。【選択図】        図１
2006039388.tif 000002
【特許請求の範囲】
【請求項１】
撮像を行う撮像手段と光軸上移動する移動レンズ群を含む光学系により所定面上に物体像を形成するレンズからなる撮影装置で、光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、移動レンズ群の位置の記憶と所定記憶位置まで移動を行うプリセット機能、移動レンズ群の移動速度を設定するための第一及び第二の速度設定手段、移動レンズの制御を行う制御手段、該移動レンズの移動速度を該第一か該第二の速度設定手段の出力かを選択する選択手段とを有し、該第一の速度選択手段は操作に伴い速度の設定とともに駆動方向命令操作を兼ね、該第二の速度設定手段の設定速度は該プリセット機能実行時の移動レンズ群の速度とすることを特徴とする撮影装置。
【請求項２】
該制御手段は該第一の速度設定手段が操作されていないとき、第二の速度設定手段の設定速度を読み込みプリセット機能実行時の該移動レンズ群の移動速度とすることを特徴とする請求項１記載の撮影装置。
【請求項３】
撮像手段を備えたカメラ、該カメラに着脱可能な光軸上移動する移動レンズ群を含む光学系により所定面上に物体像を形成する交換レンズからなる撮影装置において、該交換レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、カメラと通信を行いレンズの制御を行う制御手段を有し、該カメラは該移動レンズの移動速度と方向を設定する第一の速度設定手段、該レンズの移動速度及び方向を該レンズに通信する通信手段及びカメラの制御を行う制御手段を有し、該カメラは該移動レンズの移動速度を設定する第２の速度設定手段の有無を該レンズに通信することを特徴とする交換レンズシステム。
【請求項４】
該交換レンズはプリセット機能を有し、プリセットの速度はカメラからの速度情報から行うことを特徴とする請求項３記載の交換レンズシステム。
【請求項５】
該交換レンズはプリセット機能を有し、プリセットの速度はカメラからの駆動方向命令のないときの速度情報をプリセット速度情報とすることを特徴とする請求項３記載の交換レンズシステム。
【請求項６】
プリセット機能を有し、該カメラからの第２の速度設定手段の有無情報によってプリセット速度の選択を可変することを特徴とする請求項３記載の交換レンズシステム。
【請求項７】
該交換レンズはプリセット機能を有し、第二の速度設定手段がない場合は、プリセット速度を所定の速度とすることを特徴とする請求項３記載の交換レンズシステム。
【請求項８】
該交換レンズはプリセット機能を有し、また、該カメラはカメラの識別情報をレンズに通信し、該レンズはプリセット速度を該識別情報によって速度を求めることを特徴とする請求項３記載の交換レンズシステム。
【請求項９】
該交換レンズはプリセット機能を有し、また、該カメラはカメラの識別情報をレンズに通信し、第二の速度設定手段がない場合は、該レンズはカメラ識別情報からプリセット速度を求めることを特徴とする請求項３記載の交換レンズシステム。
【請求項１０】
第一及び第二の速度設定手段は変倍を行う移動レンズ群の移動速度の設定を行うものであることを特徴とする請求項１、２の撮像装置及び請求項３乃至９のいずれか記載の交換レンズシステム。
【請求項１１】
第２の速度設定手段は、該レンズが焦点調節を行う移動レンズのプリセット機能を有する場合、該焦点調節を行う移動レンズ群のプリセット機能移動速度の設定を行うことができることを特徴とする請求項１記載の撮像装置。
【請求項１２】
第２の速度設定手段は、該レンズが焦点調節を行う移動レンズのプリセット機能を有する場合、該焦点調節を行う移動レンズ群のプリセット機能移動速度の設定を行うことができることを特徴とする請求項３記載の交換レンズシステム。
【請求項１３】
撮像を行う撮像手段を備えたカメラ装置と、該カメラに着脱可能な光軸上移動する移動レンズ群を含む光学系により所定面上に物体像を形成する交換レンズレンズ装置からなる撮影装置において、該交換レンズは光軸上移動する焦点調節のための移動レンズ群、変倍のための該移動レンズ群を含む光学系により所定面上に物体像を形成し該移動レンズ群を駆動させるレンズ駆動手段、該移動レンズ群の位置を検出する位置検出手段、操作部材により移動レンズ群の位置の記憶と所定記憶位置までの移動を行うプリセット機能を有し、該カメラは移動速度と駆動方向をレンズに通信する通信手段、移動レンズの移動速度を設定するための第一及び第二の速度設定手段、選択手段により該第一と第二の速度設定手段の出力を選択する選択手段とを有し、該第一の速度選択手段は操作に伴い速度の設定とともに駆動方向命令操作を兼ね、操作のないときは駆動命令を出力しない命令手段で、第一の設定手段が操作されていないときは第二の速度設定手段の設定速度をレンズに通信することを特徴とする撮像装置。
【請求項１４】
該交換レンズのプリセットの速度はカメラからの速度情報から行う特徴とする請求項１３記載の撮像装置。
【請求項１５】
該交換レンズのプリセットの速度はカメラからの駆動方向命令のないときの速度情報をプリセット速度情報とすることを特徴とする請求項１３記載の撮像装置。
【請求項１６】
該カメラは該第二の速度設定手段の有無をレンズに通信し、レンズはその有無によってプリセット速度の選択を可変することを特徴とする請求項１３記載の撮像装置。
【請求項１７】
該カメラは該第二の速度設定手段の有無をレンズに通信し、第二の速度設定手段がない場合は、プリセット速度を所定の速度とすることを特徴とする請求項１３記載の撮像装置。
【請求項１８】
該カメラはカメラの識別情報をレンズに通信し、レンズはプリセット速度を該識別情報によって速度を求めることを特徴とする請求項１３記載の撮像装置。
【請求項１９】
該カメラは該第二の速度設定手段の有無とカメラの識別情報をレンズに通信し、第二の速度設定手段がない場合は、レンズはカメラ識別情報からプリセット速度を求めることを特徴とする請求項１３記載の撮像装置。
【請求項２０】
撮像手段を備えたカメラ、該カメラに着脱可能な光軸上移動する移動レンズ群を含む光学系により所定面上に物体像を形成するレンズからなる撮影装置において、該交換レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、カメラと通信を行いレンズの制御を行う制御手段を有し、また、該カメラはレンズと通信を行う通信手段、カメラの制御を行う制御手段を有し、該カメラはプリセット機能の速度設定を可変できる速度設定手段の有無を該レンズに通信することを特徴とする交換レンズシステム。
【発明の詳細な説明】
【技術分野】
【０００１】
本発明は、レンズカメラ一体型撮影装置及び、交換可能なレンズ装置とこのレンズ装置が具備装着される撮影装置とから構成される静止画及び動画の撮影を行うカメラ等の撮像装置および交換レンズシステムに関するものである。
【背景技術】
【０００２】
図８は、従来例のブロック図である。
【０００３】
図中１は光学系であり、４つのレンズ群より成る４群構成のリアフォーカスズームレンズ（以下“ＲＦＺレンズ”と称する）より成っている。ＲＦＺレンズ１は固定レンズ群である第１のレンズ群（以下“前玉”と称する）１０１、移動レンズ群である変倍機能を有する第２のレンズ群（以下“バリエータ”と称する）１０２、固定レンズ群である第３のレンズ群（以下“アフォーカル”と称す）１０３、そして移動レンズ群であるフォーカス機能と、変倍に伴う結像面変動を補正するコンペンセータとしての機能を有する第４のレンズ群（以下“ＲＲ”と称する）１０４より成っている。
【０００４】
実際には、上記レンズ群は複数枚のレンズで構成されているが、各レンズ群の構成枚数については、特に限定するものではない。
【０００５】
２はＣＣＤ等の光電変換素子、３は光電変換素子２に入射する光量を調節するための絞り部材、４は絞り駆動手段で光電変換素子２に入射する光量が一定になるように絞り部材３を制御手段７によって駆動する。５は絞り位置検出手段、６は絞り位置検出手段５の出力を検出し、制御手段７に出力する検出回路である。
【０００６】
８・９は移動レンズ群１０２・１０４を駆動するためのステップモータ等の駆動手段、１０・１１は駆動手段８・９を駆動させるためのドライバである。
【０００７】
１２は光電変換素子２の出力を増幅させるアンプ、１３は信号をＮＴＳＣ映像信号等の信号に変換及びＡＦさせるためのＡＦ信号を生成するプロセス回路、１４はプロセス回路からのＡＦ信号によりＡＦ動作させるＡＦ手段である。尚、ＡＦ方法においては山登り式などが提案されており下記、特許文献１等によって公知となっているためここでは詳細な説明は省略する。
【０００８】
１５はズーム操作のためのシーソースイッチで、ボリュームである。操作しない状態では中立点を保持した駆動停止状態で、シーソーの押す側の操作によって駆動方向、押す深さによって速度が変更され、深く押すほど速度が高くなるように設定するものである。
【０００９】
１８はプリセット記憶スイッチ、１９はプリセット実行スイッチで、プリセット記憶スイッチが操作されたときのズーム位置を制御部７が記憶し、プリセット実行スイッチ１９の操作により現在のズーム位置と比較し、異なっていたら記憶位置までズームを行わせるプリセット機能を行うものである。
【００１０】
ビデオ・カメラ等の映像入力機器に用いられているプリセット機能の実行時の速度はシーソーキーの押し方や、押しの深さで可変とし、あるいは所定の速度でとしている。
【特許文献１】特開昭６２−１０３６１６号公報
【特許文献２】特開２００４−０９４２０１号公報
【発明の開示】
【発明が解決しようとする課題】
【００１１】
近年カメラ等の撮像装置はレンズの高付加価値化、高機能化の競争が激しく、また、撮影の幅を広げるための機能として所定操作により所定の記憶位置までズームを行うプリセット機能の搭載が強く望まれている一方、通常のズーム速度もシーソーキーや速度可変で所定の速度でのズーミングも同時に行う撮影装置を提供することが望ましい。
【００１２】
しかしながらこれらの機能を同時に搭載するにはその設定に煩雑な操作を伴い、撮影機会の逸失を招くため、操作性のよいものが望まれる。
【００１３】
また、交換レンズシステムの場合、プリセット機能実行時の速度は、カメラと交換レンズとの組合せによっては設定速度が変えられないなどの問題が考えられる。
【００１４】
本発明は上述の問題点に着目してなされたものであって、撮影装置に速度選択ダイヤルを設け、ズームを固定速度で行ったり、プリセット速度の選択に使用することで操作性の向上ときめ細かい速度設定を実現できることで撮影の幅を広げることのできる撮影装置および交換レンズシステムの提供を目的としている。
【課題を解決するための手段】
【００１５】
上記課題を解決するために以下の手段を提案する。
【００１６】
撮像を行う撮像手段と、光軸上移動する移動レンズ群を含む光学系により所定面上に物体像を形成するレンズからなる撮影装置で、光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、所定操作により移動レンズ群の位置を記憶し、所定記憶位置まで移動を行うプリセット機能、移動レンズ群の移動速度を設定するための第一及び第二の速度設定手段、移動レンズの駆動を制御する制御手段、該移動レンズの移動速度を該第一か該第二の速度設定手段の出力かを選択する選択手段と、を有し、該第一の速度選択手段は操作に伴い速度の設定とともに駆動方向命令操作を兼ね、操作がないときは駆動命令を出力しない命令手段を兼ねる速度設定手段で、該制御手段は第二の速度設定手段の設定速度を該プリセット機能実行時の移動レンズ群の速度とすることを特徴とする撮影装置を提案する。
【００１７】
また、交換レンズシステムにおいては撮像手段を備えたカメラ、該カメラに着脱可能な光軸上移動する移動レンズ群を含む光学系により所定面上に物体像を形成する交換レンズからなる撮影装置において、該交換レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、カメラと通信を行いレンズの制御を行う制御手段を有し、該カメラは該移動レンズの移動速度と方向を設定する第一の速度設定手段、該レンズの移動速度及び方向を該レンズに通信する通信手段及びカメラの制御を行う制御手段を有し、該カメラは該移動レンズの移動速度を設定する第２の速度設定手段の有無を該レンズに通信することを特徴とする撮影装置を提案する。
【発明の効果】
【００１８】
以上の説明から、本発明によれば速度選択ダイヤルの出力をプリセット機能の実行時の速度の設定に使うことを実現させることで、固定速度でのズームと共に、速度変更の容易なプリセット機能の搭載も同時に実現することができ、撮影機会を逃すことなく、撮影の幅を広げることができる。
【００１９】
また、交換レンズシステムの場合、速度選択ダイヤルの情報を通信することで、カメラと交換レンズとの組合せによっても問題なく撮影が行えるようになる。
【発明を実施するための最良の形態】
【００２０】
以下に本発明を実施するための最良の形態を、実施例に基づいて説明する。
【実施例】
【００２１】
［第１の実施例］
図１は本発明の実施例のブロック図である。
【００２２】
図中１は光学系であり、４つのレンズ群より成る４群構成のリアフォーカスズームレンズ（以下“ＲＦＺレンズ”と称する）より成っている。ＲＦＺレンズ１は固定レンズ群である第１のレンズ群（以下“前玉”と称する）１０１、移動レンズ群である変倍機能を有する第２のレンズ群（以下“バリエータ”と称する）１０２、固定レンズ群である第３のレンズ群（以下“アフォーカル”と称す）１０３、そして移動レンズ群であるフォーカス機能と、変倍に伴う結像面変動を補正するコンペンセータとしての機能を有する第４のレンズ群（以下“ＲＲ”と称する）１０４より成っている。
【００２３】
実際には、上記レンズ群は複数枚のレンズで構成されているが、各レンズ群の構成枚数については、特に限定するものではない。
【００２４】
２はＣＣＤ等の光電変換素子、３は光電変換素子２に入射する光量を調節するための絞り部材、４は絞り駆動手段で光電変換素子２に入射する光量が一定になるように絞り部材３を制御手段７によって駆動する。５は絞り位置検出手段、６は絞り位置検出手段５の出力を検出し、制御手段７に出力する検出回路である。
【００２５】
８・９は移動レンズ群１０２・１０４を駆動するためのステップモータ等の駆動手段、１０・１１は駆動手段８・９を駆動させるためのドライバである。
【００２６】
１２は光電変換素子２の出力を増幅させるアンプ、１３は信号をＮＴＳＣ映像信号等の信号に変換及びＡＦさせるためのＡＦ信号を生成するプロセス回路、１４はプロセス回路からのＡＦ信号によりＡＦ動作させるＡＦ手段である。尚、ＡＦ方法においては山登り式などが提案されており特開昭６２−１０３６１６号広報等によって公知となっているためここでは詳細な説明は省略する。
【００２７】
１５はズーム操作のためのシーソースイッチで、ボリュームである。操作しない状態では中立点を保持した駆動停止状態で、シーソーの押す側の操作によって駆動方向、押す深さによって速度が変更され、深く押すほど速度が高くなるように設定するものである。
【００２８】
１６は速度選択ダイヤルで、ダイヤルの位置の変更によって出力が変化するものである。インクリメント式のカウンタやあるいはボリュームでも構わない。
【００２９】
１７はズームモード選択スイッチで、ズーム速度がシーソースイッチ１５の深さで行うか、速度選択ダイヤル１６の出力にするのかを選択するものである。
【００３０】
例えば、ズーム速度をシーソースイッチ１５で行う場合はモード１を選択する。モード２を選択した場合はズームの命令はシーソースイッチ１５で行うが、ズームの速度は速度選択ダイヤルで選択されている速度でズームを行うことができる。この機能によって、いろいろな速度で撮影を行いたい場合はモード１で、一定の速度でズームを行いたい場合はモード２を選択することにより撮影状況に応じて適したズーム操作を提供できる。
【００３１】
１８はプリセット記憶スイッチ、１９はプリセット実行スイッチで、プリセット記憶スイッチ１８が操作されたときのズーム位置を制御部７が記憶し、プリセット実行スイッチ１９の操作により現在のズーム位置と比較し、異なっていたら記憶位置までズームを行わせるプリセット機能を行うものである。
【００３２】
ここで、プリセット実行時の速度は前述した速度選択ダイヤル１６の出力にすることで操作性がよく、また、ダイヤル位置に応じた速度を可変できるようにしておくことでプリセット時の速度を撮影意図に応じて任意に設定できるようになる。
【００３３】
次に制御部７のフローを図２に示す。
【００３４】
制御部７は２０１においてプリセットが実行されているかどうかを判定し、実行されていなければ戻り、実行されていれば２０２において記憶位置と現在の位置を比較する。現在の位置と記憶位置が同じであればフローを抜け、現在の位置と異なれば２０３において記憶位置と比較し、駆動方向を求める。次に２０４において速度選択ダイヤルの出力を読み込みその出力から相当する速度を求め、２０５においてズームの駆動を行い、２０２において記憶位置との比較を行い、同じになるまで同様の処理を行う。
【００３５】
この例ではプリセット実行中でも速度選択ダイヤルの操作によって速度の変化は可能である。
【００３６】
したがって適切なプリセット速度はプリセット実行中に速度選択ダイヤル操作することで容易に求められるだけでなく、限られた撮影装置の外装におけるスペースを他の機能と併用できることでスペースの有効活用が行えるようになる。
【００３７】
また、速度選択ダイヤル１６は図示しないがフォーカスのプリセット機能を有する場合、フォーカスプリセットの速度設定手段として使っても良い。
【００３８】
［第２の実施例］
第２の実施例に関して述べる。
【００３９】
図３は本実施例を示したブロック図で実施例１と同一部分は省略する。
【００４０】
本発明は、交換レンズタイプの実施例を示すものである。
【００４１】
カメラユニットの制御手段２０はカメラのズームキー命令やＡＦのための合焦信号を生成するプロセス回路１３の出力および、絞り動作のための出力などをカメラ接点２２及びレンズ接点２３を介し、レンズユニット制御手段７に通信を行う。レンズユニット制御手段７はその情報からズームｙＡＦや絞りの動作を行い、ズーム位置フォーカス位置、絞り位置等をカメラユニット制御手段に通信で送るなど、それぞれの制御手段は送受信が可能である。
【００４２】
前述したズーム操作のためのシーソースイッチ１５、速度選択ダイヤル１６、ズームモード選択スイッチ１７はカメラに具備され、プリセット記憶スイッチ１８、プリセット実行スイッチ１９はレンズに具備している。
【００４３】
カメラ制御手段２０はシーソースイッチ１５が操作されているときはその駆動および速度はズームモード選択スイッチ１７がシーソースイッチ１５を選択しているときはシーソースイッチ１５の状態から、速度選択手段の速度を選択しているときは、方向はシーソースイッチ１５、速度は速度選択ダイヤル１６の状態から速度を通信する。
【００４４】
このとき、シーソースイッチ１５が操作されていないときは駆動方向を通信せず、速度選択ダイヤル１６の状態から得られる速度情報のみをレンズに通信するようにする。
【００４５】
レンズは駆動方向命令がないためズーム操作は行わない。そして、レンズのプリセット機能実行時の速度としてこのときの速度情報をプリセット速度として使用することを提案する。
【００４６】
つまり、ズームを駆動命令以外にカメラの速度選択手段の出力をプリセット速度可変のための手段としてカメラからレンズに通信することで、決めの細かいプリセットの速度を設定することが可能となり、レンズに速度選択の手段を持たずに済む。また、操作性においても併用を行うことで独自にプリセットのための速度選択手段を設けるよりも効率がよく、煩雑さが操作に伴う煩雑さを軽減できる。
【００４７】
図４は通信データの具体的な例を示したもので、通信のプロトコルについてはここでは特に限定しない。
【００４８】
カメラからの送信データとしてｂｉｔ０はテレ側駆動命令、ｂｉｔ１はワイド側駆動命令でそれぞれ「１」で駆動「０」で停止を意味する。ｂｉｔ２〜ｂｉｔ７は速度として６４段階の速度情報となる。
【００４９】
例えばカメラのシーソーキー１５によりＴ側駆動で押された場合、ｂｉｔ０に１をセットし、ボリュームの出力から送信する速度を求め通信する。シーソーキー１５が操作されていないときは、ｂｉｔ０，１ともに「０」となるとともに、その状態のときは速度選択ダイヤル１６の出力から求められる速度情報をセットし、レンズに送信するものである。
【００５０】
制御部７のフローを図５に示す。
【００５１】
制御部７は５０１においてプリセット実行スイッチ１９が実行されているかどうかを判定し、実行されていなければ戻り、実行されていれば５０２においてプリセット記憶スイッチ１８によってプリセット記憶された記憶位置と現在の位置を比較する。現在の位置と記憶位置が同じであればフローを抜け、現在の位置と異なれば５０３において記憶位置と比較し、駆動方向を求める。次に５０４においてカメラからの速度情報の出力を読み込みその出力から相当する速度を求め、５０５においてプリセットズームの駆動を行い、５０２において記憶位置との比較を行い、同じになるまで同様の処理を行う。
【００５２】
この例ではプリセット実行中でも速度選択ダイヤル１６の操作によって速度の変化は可能である。
【００５３】
したがって適切なプリセット速度はプリセット実行中に速度選択ダイヤル１６操作することで容易に求められるだけでなく、限られた撮影装置の外装におけるスペースを他の機能と併用できることでスペースの有効活用が行えるようになる。
【００５４】
また、カメラのズームキー操作が行われているときはプリセット機能を有効としないとすることで、プリセットとズーム操作との区別を行うようにしてもよい。
【００５５】
また、速度選択ダイヤル１６は図示しないがフォーカスのプリセット機能を有する場合、フォーカスプリセットの速度設定手段として使っても良い。
【００５６】
［第３の実施例］
第３の実施例に関して述べる。
【００５７】
図６は本実施例を示したブロック図で実施例１、２と同一部分は省略する。
【００５８】
本発明の目的はレンズにプリセット機能があり、図６に示すようにカメラに速度選択ダイヤル１６がない場合に、プリセット速度をどのようにするかを提案するものである。
【００５９】
本実施例では、カメラはレンズに速度選択ダイヤルの有無を通信するようにすることで、レンズはプリセットの速度をカメラ選択ダイヤルの出力にするかを判定する。
【００６０】
選択ダイヤルがある場合は実施例２にある内容になる。選択ダイヤルがない場合は、あらかじめ所定の速度を決めておき、その速度でプリセットを行うようにすることを提案する。
【００６１】
図７に制御手段７のフローを示す。
【００６２】
制御部７は７０１においてプリセット実行スイッチ１９が実行されているかどうかを判定し、実行されていなければ戻り、実行されていれば７０２においてプリセット記憶スイッチ１８によってプリセット記憶された記憶位置と現在の位置を比較する。現在の位置と記憶位置が同じであればフローを抜け、現在の位置と異なれば７０３において記憶位置と比較し、駆動方向を求める。次に７０４において速度選択ダイヤルの有無情報を判定し、ない場合は７０５において所定の速度を読み込み７０７に進み、有る場合は７０６においてカメラからの速度情報の出力を読み込みその出力から相当する速度を求め、７０７においてプリセットズ  ームの駆動を行い、７０２において記憶位置との比較を行い、同じになるまで同様の処理を行う。
【００６３】
速度選択ダイヤルの有無情報がない場合は上記に限らず、カメラの識別情報に応じて所定の速度としても良い。
【図面の簡単な説明】
【００６４】
【図１】第１の実施例のブロック図
【図２】第１の実施例の制御部７のフローチャート
【図３】第２の実施例のブロック図
【図４】第２の実施例の通信データの具体的な例を示す図
【図５】第２の実施例の制御部７のフローチャート
【図６】第３の実施例のブロック図
【図７】第３の実施例の制御部７のフローチャート
【図８】従来例のブロック図
【符号の説明】
【００６５】
１  ＲＦＺレンズ（光学系）
２  ＣＣＤ
３  絞り部材
４  絞り駆動手段
５  絞り位置検出手段
７  制御手段（制御部）
８，９  駆動手段
１０，１１  ドライバ
１２  アンプ
１３  プロセス回路
１４  ＡＦ手段
１５  シーソースイッチ
１６  速度選択ダイヤル
１７  ズームモード選択スイッチ
１８  プリセット記憶スイッチ
１９  プリセット実行スイッチ
２０  カメラ制御手段
１０１  前玉（第１のレンズ群）
１０２  バリエータ（第２のレンズ群）
１０３  アフォーカル（第３のレンズ群）
１０４  ＲＲ（第４のレンズ群）
【図１】
2006039388.tif 000003
【図２】
2006039388.tif 000004
【図３】
2006039388.tif 000005
【図４】
2006039388.tif 000006
【図５】
2006039388.tif 000007
【図６】
2006039388.tif 000008
【図７】
2006039388.tif 000009
【図８】
2006039388.tif 000010